(57)【要約】【課題】画像データや該画像データに基づいて生成されたデータを安全かつ確実に保存、管理することができるように記録媒体に記録する記録装置及び記録プログラム並びに記録媒体の提供。【解決手段】メディアやデジタルカメラなどから画像データを読み取るデータ入力手段と、必要に応じて、読み取った画像データに基づいてＶｉｄｅｏ−ＣＤ形式等の画像再生機器用データや縮小画像データ、高圧縮度データなどの特定データを生成するデータ生成手段と、読み取った画像データや生成した特定データの全部又は一部を記録媒体の複数の領域の各々に記録し、必要に応じて複数の領域の間に他のデータを記録するデータ記録手段とを少なくとも備え、一つの領域のデータが読み出せない状態になったとしても他の領域から該データを読み出すことができ、データを安全かつ確実に記録媒体に保存、管理することができる。【選択図】図１２
2006033190.tif 000002
【特許請求の範囲】
【請求項１】
複数の画像データを読み取る手段と、
読み取った前記複数の画像データの全部又は一部を、記録媒体の複数の領域の各々に記録する手段と、を少なくとも備えることを特徴とする記録装置。
【請求項２】
複数の画像データを読み取る手段と、
読み取った前記複数の画像データに基づいて１又は複数の特定データを生成する手段と、
生成した前記１又は複数の特定データの全部又は一部を、記録媒体の複数の領域の各々に記録する手段と、を少なくとも備えることを特徴とする記録装置。
【請求項３】
前記複数の領域は、ディスク型記録媒体の内側の第１の領域と、該第１の領域の外側の第２の領域とからなり、
前記記録する手段では、前記記録媒体の記録可能な容量をＸ、読み取った前記複数の画像データ又は生成した前記１又は複数の特定データを記録するための容量をＡとしたとき、
Ｘ≧Ａ×２の場合は、前記第１の領域及び前記第２の領域の双方に、読み取った前記複数の画像データ又は生成した前記１又は複数の特定データの全部を記録し、
Ｘ＜Ａ×２の場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録することを特徴とする請求項１又は２に記載の記録装置。
【請求項４】
複数の画像データを読み取る手段と、
読み取った前記複数の画像データの全部又は一部を、記録媒体の複数の領域の各々に記録すると共に、前記複数の領域の間に他のデータを記録する手段と、を少なくとも備えることを特徴とする記録装置。
【請求項５】
複数の画像データを読み取る手段と、
読み取った前記複数の画像データに基づいて１又は複数の特定データを生成する手段と、
生成した前記１又は複数の特定データの全部又は一部を、記録媒体の複数の領域の各々に記録すると共に、前記複数の領域の間に他のデータを記録する手段と、を少なくとも備えることを特徴とする記録装置。
【請求項６】
前記複数の領域は、ディスク型記録媒体の内側の第１の領域と、該第１の領域の外側の第２の領域とからなり、
前記記録する手段では、前記記録媒体の記録可能な容量をＸ、読み取った前記複数の画像データ又は生成した前記１又は複数の特定データを記録するための容量をＡ、前記他のデータを記録するための容量をＢとしたとき、
Ｘ≧Ａ×２＋Ｂの場合は、前記第１の領域及び前記第２の領域の双方に、読み取った前記複数の画像データ又は生成した前記１又は複数の特定データの全部を記録し、
Ｘ＜Ａ×２＋Ｂの場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録することを特徴とする請求項４又は５に記載の記録装置。
【請求項７】
前記複数の領域は、ディスク型記録媒体の内側の第１の領域と、該第１の領域の外側の第２の領域とからなり、
前記記録する手段では、前記記録媒体の記録可能な容量をＸ、読み取った前記複数の画像データ又は生成した前記１又は複数の特定データを記録するための容量をＡとしたとき、
Ｘ≧Ａ×２の場合は、前記第１の領域及び前記第２の領域の双方に、読み取った前記複数の画像データ又は生成した前記１又は複数の特定データの全部を記録すると共に、前記第１の領域と前記第２の領域との間の領域にＸ−Ａ×２の容量の前記他のデータを記録し、
Ｘ＜Ａ×２の場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録することを特徴とする請求項４又は５に記載の記録装置。
【請求項８】
前記予め定められたルールとは、前記第１の領域における前記複数の画像データ又は前記１又は複数の特定データの記録順又はその逆順、ファイル名の降順又は昇順、データサイズの大きい順又は小さい順、撮影日時順、生成日時順のいずれかであることを特徴とする請求項３、６、７のいずれか一に記載の記録装置。
【請求項９】
前記特定データは、前記画像データのデータサイズを縮小したサムネイル画像データ又はスクリーンネイル画像データ、前記画像データの圧縮度を高めた高圧縮データ、Ｖｉｄｅｏ−ＣＤ形式のデータ、ＤＶＤ−Ｖｉｄｅｏ形式のデータ、又は、ＨＤＴＶ形式のデータのいずれかを含むことを特徴とする請求項２、３、５乃至８のいずれか一に記載の記録装置。
【請求項１０】
コンピュータを、
読み取った複数の画像データの全部又は一部を、記録媒体の複数の領域の各々に記録する手段、として機能させることを特徴とする記録プログラム。
【請求項１１】
コンピュータを、
読み取った複数の画像データに基づいて１又は複数の特定データを生成する手段、
前記１又は複数の特定データの全部又は一部を、記録媒体の複数の領域の各々に記録する手段、として機能させることを特徴とする記録プログラム。
【請求項１２】
前記複数の領域は、ディスク型記録媒体の内側の第１の領域と、該第１の領域の外側の第２の領域とからなり、
前記記録する手段では、前記記録媒体の記録可能な容量をＸ、読み取った前記複数の画像データ又は生成した前記１又は複数の特定データを記録するための容量をＡとしたとき、
Ｘ≧Ａ×２の場合は、前記第１の領域及び前記第２の領域の双方に、読み取った前記複数の画像データ又は生成した前記１又は複数の特定データの全部を記録し、
Ｘ＜Ａ×２の場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録することを特徴とする請求項１０又は１１に記載の記録プログラム。
【請求項１３】
コンピュータを、
読み取った複数の画像データの全部又は一部を、記録媒体の複数の領域の各々に記録すると共に、前記複数の領域の間に他のデータを記録する手段、として機能させることを特徴とする記録プログラム。
【請求項１４】
コンピュータを、
読み取った複数の画像データに基づいて１又は複数の特定データを生成する手段、
生成した前記１又は複数の特定データの全部又は一部を、記録媒体の複数の領域の各々に記録すると共に、前記複数の領域の間に他のデータを記録する手段、として機能させることを特徴とする記録プログラム。
【請求項１５】
前記複数の領域は、ディスク型記録媒体の内側の第１の領域と、該第１の領域の外側の第２の領域とからなり、
前記記録する手段では、前記記録媒体の記録可能な容量をＸ、読み取った前記複数の画像データ又は生成した前記１又は複数の特定データを記録するための容量をＡ、前記他のデータを記録するための容量をＢとしたとき、
Ｘ≧Ａ×２＋Ｂの場合は、前記第１の領域及び前記第２の領域の双方に、読み取った前記複数の画像データ又は生成した前記１又は複数の特定データの全部を記録し、
Ｘ＜Ａ×２＋Ｂの場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録することを特徴とする請求項１３又は１４に記載の記録プログラム。
【請求項１６】
前記複数の領域は、ディスク型記録媒体の内側の第１の領域と、該第１の領域の外側の第２の領域とからなり、
前記記録する手段では、前記記録媒体の記録可能な容量をＸ、読み取った前記複数の画像データ又は生成した前記１又は複数の特定データを記録するための容量をＡとしたとき、
Ｘ≧Ａ×２の場合は、前記第１の領域及び前記第２の領域の双方に、読み取った前記複数の画像データ又は生成した前記１又は複数の特定データの全部を記録すると共に、前記第１の領域と前記第２の領域との間の領域にＸ−Ａ×２の容量の前記他のデータを記録し、
Ｘ＜Ａ×２の場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録することを特徴とする請求項１３又は１４に記載の記録プログラム。
【請求項１７】
前記予め定められたルールとは、前記第１の領域における前記複数の画像データ又は前記１又は複数の特定データの記録順又はその逆順、ファイル名の降順又は昇順、データサイズの大きい順又は小さい順、撮影日時順、生成日時順のいずれかであることを特徴とする請求項１２、１５、１６のいずれか一に記載の記録プログラム。
【請求項１８】
前記特定データは、前記画像データのデータサイズを縮小したサムネイル画像データ又はスクリーンネイル画像データ、前記画像データの圧縮度を高めた高圧縮データ、Ｖｉｄｅｏ−ＣＤ形式のデータ、ＤＶＤ−Ｖｉｄｅｏ形式のデータ、又は、ＨＤＴＶ形式のデータのいずれかを含むことを特徴とする請求項１１、１２、１４乃至１７のいずれか一に記載の記録プログラム。
【請求項１９】
読み取った複数の画像データの全部又は一部が、複数の領域の各々に記録されていることを特徴とする記録媒体。
【請求項２０】
読み取った複数の画像データに基づいて生成された１又は複数の特定データの全部又は一部が、複数の領域の各々に記録されていることを特徴とする記録媒体。
【請求項２１】
前記複数の領域は、ディスク型記録媒体の内側の第１の領域と、該第１の領域の外側の第２の領域とからなり、
前記第１の領域と前記第２の領域との間の領域に他のデータが記録され、前記第１の領域と前記第２の領域とが離間して形成されていることを特徴とする請求項１９又は２０に記載の記録媒体。
【請求項２２】
前記記録媒体の論理アドレス領域外に、該記録媒体を識別するための情報が記録されていることを特徴とする請求項１９乃至２１のいずれか一に記載の記録媒体。
【請求項２３】
前記特定データは、前記画像データのデータサイズを縮小したサムネイル画像データ又はスクリーンネイル画像データ、前記画像データの圧縮度を高めた高圧縮データ、Ｖｉｄｅｏ−ＣＤ形式のデータ、ＤＶＤ−Ｖｉｄｅｏ形式のデータ、又は、ＨＤＴＶ形式のデータのいずれかを含むことを特徴とする請求項１９乃至２２のいずれか一に記載の記録媒体。
【発明の詳細な説明】
【技術分野】
【０００１】
本発明は、記録媒体に画像データを記録する記録装置及び記録プログラム並びに記録媒体に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った画像データに基づいてＤＶＤプレーヤやＤＶＤレコーダ、ＨＤＤレコーダ、ゲーム機などの画像再生機器で再生可能な形式のデータを生成し、元の画像データと生成したデータとをＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
上記サービスを利用することにより、デジタルカメラやメディア等に記録された画像データや生成された画像再生機器用データなどが記録された記録媒体を入手することができ、この記録媒体を用いることにより、これらのデータをいわゆる電子アルバムとして保存、管理することができる。
【０００７】
しかしながら、記録媒体はコンピュータ機器や画像再生機器に出し入れして使用されるものであるため、取り扱いの際に記録媒体の記録面の一部に傷が付いたり、記録面の一部が汚れたり、記録面の一部が変形、変質するなどによって記録した画像データや生成されたデータを読み出すことができなくなってしまう場合があり、読み取った画像データや生成されたデータを単に記録媒体に記録するだけではこれらデータを安全かつ確実に保存、管理しているとは言えない。
【０００８】
また、このような問題は、写真画像に基づく静止画像データに限らず、デジタルムービーカメラなどで撮影して得られた動画データやインターネットなどを介して取得した音楽データ、コンテンツデータなどにおいても同様に生じる。
【０００９】
本発明は、上記問題点に鑑みてなされたものであって、その主たる目的は、画像データや該画像データに基づいて生成されたデータを安全かつ確実に保存、管理することができるように記録媒体に記録する記録装置及び記録プログラム並びに記録媒体を提供することにある。
【課題を解決するための手段】
【００１０】
上記目的を達成するため、本発明の記録装置は、複数の画像データを読み取る手段と、読み取った前記複数の画像データの全部又は一部を、記録媒体の複数の領域の各々に記録する手段と、を少なくとも備えるものである。
【００１１】
また、本発明の記録装置は、複数の画像データを読み取る手段と、読み取った前記複数の画像データに基づいて１又は複数の特定データを生成する手段と、生成した前記１又は複数の特定データの全部又は一部を、記録媒体の複数の領域の各々に記録する手段と、を少なくとも備えるものである。
【００１２】
本発明においては、前記複数の領域は、ディスク型記録媒体の内側の第１の領域と、該第１の領域の外側の第２の領域とからなり、前記記録する手段では、前記記録媒体の記録可能な容量をＸ、読み取った前記複数の画像データ又は生成した前記１又は複数の特定データを記録するための容量をＡとしたとき、Ｘ≧Ａ×２の場合は、前記第１の領域及び前記第２の領域の双方に、読み取った前記複数の画像データ又は生成した前記１又は複数の特定データの全部を記録し、Ｘ＜Ａ×２の場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録する構成とすることができる。
【００１３】
また、本発明の記録装置は、複数の画像データを読み取る手段と、読み取った前記複数の画像データの全部又は一部を、記録媒体の複数の領域の各々に記録すると共に、前記複数の領域の間に他のデータを記録する手段と、を少なくとも備えるものである。
【００１４】
また、本発明の記録装置は、複数の画像データを読み取る手段と、読み取った前記複数の画像データに基づいて１又は複数の特定データを生成する手段と、生成した前記１又は複数の特定データの全部又は一部を、記録媒体の複数の領域の各々に記録すると共に、前記複数の領域の間に他のデータを記録する手段と、を少なくとも備えるものである。
【００１５】
本発明においては、前記複数の領域は、ディスク型記録媒体の内側の第１の領域と、該第１の領域の外側の第２の領域とからなり、前記記録する手段では、前記記録媒体の記録可能な容量をＸ、読み取った前記複数の画像データ又は生成した前記１又は複数の特定データを記録するための容量をＡ、前記他のデータを記録するための容量をＢとしたとき、Ｘ≧Ａ×２＋Ｂの場合は、前記第１の領域及び前記第２の領域の双方に、読み取った前記複数の画像データ又は生成した前記１又は複数の特定データの全部を記録し、Ｘ＜Ａ×２＋Ｂの場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録する構成とすることができる。
【００１６】
また、本発明においては、前記複数の領域は、ディスク型記録媒体の内側の第１の領域と、該第１の領域の外側の第２の領域とからなり、前記記録する手段では、前記記録媒体の記録可能な容量をＸ、読み取った前記複数の画像データ又は生成した前記１又は複数の特定データを記録するための容量をＡとしたとき、Ｘ≧Ａ×２の場合は、前記第１の領域及び前記第２の領域の双方に、読み取った前記複数の画像データ又は生成した前記１又は複数の特定データの全部を記録すると共に、前記第１の領域と前記第２の領域との間の領域にＸ−Ａ×２の容量の前記他のデータを記録し、Ｘ＜Ａ×２の場合は、前記第１の領域には、読み取った前記複数の画像データ又は生成した前記１又は複数の特定データの全部を記録し、前記第２の領域には、予め定められたルールに従って選択された、読み取った前記複数の画像データ又は生成した前記１又は複数の特定データの一部を記録する構成とすることもできる。
【００１７】
また、本発明においては、前記予め定められたルールとは、前記第１の領域における前記複数の画像データ又は前記１又は複数の特定データの記録順又はその逆順、ファイル名の降順又は昇順、データサイズの大きい順又は小さい順、撮影日時順、生成日時順のいずれかであることが好ましい。
【００１８】
また、本発明においては、前記特定データは、前記画像データのデータサイズを縮小したサムネイル画像データ又はスクリーンネイル画像データ、前記画像データの圧縮度を高めた高圧縮データ、Ｖｉｄｅｏ−ＣＤ形式のデータ、ＤＶＤ−Ｖｉｄｅｏ形式のデータ、又は、ＨＤＴＶ形式のデータのいずれかを含むことが好ましい。
【００１９】
また、本発明の記録プログラムは、コンピュータを、読み取った複数の画像データの全部又は一部を、記録媒体の複数の領域の各々に記録する手段、として機能させるものである。
【００２０】
また、本発明の記録プログラムは、コンピュータを、読み取った複数の画像データに基づいて１又は複数の特定データを生成する手段、前記１又は複数の特定データの全部又は一部を、記録媒体の複数の領域の各々に記録する手段、として機能させるものである。
【００２１】
また、本発明の記録プログラムは、コンピュータを、読み取った複数の画像データの全部又は一部を、記録媒体の複数の領域の各々に記録すると共に、前記複数の領域の間に他のデータを記録する手段、として機能させるものである。
【００２２】
また、本発明の記録プログラムは、コンピュータを、読み取った複数の画像データに基づいて１又は複数の特定データを生成する手段、生成した前記１又は複数の特定データの全部又は一部を、記録媒体の複数の領域の各々に記録すると共に、前記複数の領域の間に他のデータを記録する手段、として機能させるものである。
【００２３】
また、本発明の記録媒体は、読み取った複数の画像データの全部又は一部が、複数の領域の各々に記録されているものである。
【００２４】
また、本発明の記録媒体は、読み取った複数の画像データに基づいて生成された１又は複数の特定データの全部又は一部が、複数の領域の各々に記録されているものである。
【００２５】
本発明においては、前記複数の領域は、ディスク型記録媒体の内側の第１の領域と、該第１の領域の外側の第２の領域とからなり、前記第１の領域と前記第２の領域との間の領域に他のデータが記録され、前記第１の領域と前記第２の領域とが離間して形成されている構成とすることができる。
【００２６】
また、本発明においては、前記記録媒体の論理アドレス領域外に、該記録媒体を識別するための情報が記録されている構成とすることもできる。
【００２７】
このように、本発明の構成によれば、読み取った複数の画像データ又は該画像データに基づいて生成された１又は複数の特定のデータの全部又は一部が記録媒体の複数の領域の各々に記録され、一つの領域に記録されたデータが読み出せなくなったとしても他の領域に記録されたデータを読み出すことができるため、データを安全かつ確実に記録媒体に保存、管理することができる。また、複数の領域の間に他のデータを記録して複数の領域の間隔を広げることにより、いずれか一つの領域に記録されたデータが読み出せる確率を高めることができる。
【発明の効果】
【００２８】
以上説明したように、本発明の記録装置及び記録プログラム並びに記録媒体によれば、データを安全かつ確実に記録媒体に保存、保管することができる。
【００２９】
その理由は、記録装置では、メディアやデジタルカメラなどから複数の画像データを読み取り、必要に応じて読み取った複数の画像データに基づいてＤＶＤプレーヤ、ＤＶＤレコーダ、ＨＤＤレコーダ、ゲーム機などの画像再生機器で再生可能なデータや、データサイズを縮小した縮小画像データ、圧縮度を高めた高圧縮データなどの１又は複数の特定のデータを生成し、読み取った複数の画像データ又は生成された１又は複数の特定のデータの全部又は一部を記録媒体の複数の領域の各々に記録するため、一つの領域に記録されたデータが読み出せなくなったとしても他の領域に記録されたデータを読み出すことができるからである。
【００３０】
また、読み取った複数の画像データ又は生成された１又は複数の特定のデータの全部又は一部を複数の領域に記録する際に、複数の領域の間に他のデータを記録して複数の領域の間隔を広げることにより、記録媒体の記録面の一部に傷が付いたり、記録面の一部が汚れたり、記録面の一部が変形、変質するなどの不具合が生じた場合でも、いずれか一つの領域に記録されたデータが読み出せる確率を高めることができるからである。
【発明を実施するための最良の形態】
【００３１】
本発明の記録装置は、その好ましい一実施の形態において、メディアやデジタルカメラなどから複数の画像データを読み取るデータ入力手段と、読み取った複数の画像データに基づいて、ＤＶＤプレーヤ、ＤＶＤレコーダ、ＨＤＤレコーダ、ゲーム機などの画像再生機器で再生可能なＶｉｄｅｏ−ＣＤ形式、ＤＶＤ−Ｖｉｄｅｏ形式、ＨＤＴＶ形式のデータやデータサイズを縮小した縮小画像データ、圧縮度を高めた高圧縮データなどの１又は複数の特定のデータを生成するデータ生成手段と、読み取った複数の画像データや生成された１又は複数の特定のデータの全部又は一部を記録媒体の複数の領域の各々に記録し、また、必要に応じて複数の領域の間に他のデータを記録するデータ記録手段とを少なくとも備えるものであり、読み取った複数の画像データ又は生成された１又は複数の特定のデータの全部又は一部が記録媒体の複数の隣接する領域又は離間した領域に記録されるため、記録媒体の記録面の一部に傷が付いたり、記録面の一部が汚れたり、記録面の一部が変形、変質するなどによって一つの領域に記録されたデータが読み出せない状態になったとしても他の領域から該データを読み出すことができ、データを安全かつ確実に記録媒体に保存、管理することができる。以下、その具体的な実施例について、図面を参照して説明する。なお、以下の説明における容量の計算において、複数の画像データや１又は複数の特定データで構成されるデータ群を記録するための容量は、厳密には、各々の画像データや特定データの容量の和に、コンピュータ機器や画像再生機器が記録媒体に記録されたデータを認識するために付加されるデータ（例えば、リードイン・ＴＯＣやリードアウトなど）の容量を加えたものとなるが、下記実施例では説明を容易にするために付加データに関する記載は省略する。
【実施例１】
【００３２】
まず、本発明の第１の実施例に係る記録装置及び記録プログラム並びに記録媒体について、図１乃至図１５を参照して説明する。図１は、本実施例に係る記録装置の構成を模式的に示す外観図であり、図２乃至図５は、そのバリエーションを示す図である。また、図６は、記録装置の機能を示すブロック図であり、図７乃至図９は、本実施例の記録装置を用いた画像データの記録手順を示すフローチャート図である。また、図１０は記録媒体（ＣＤ−Ｒ）の構造を模式的に示す図、図１１及び図１２は、記録媒体におけるデータの記録領域を示す図、図１３乃至図１５は、記録媒体のフォルダ構造の一例を示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００３３】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１から画像データなどをダウンロードするネットワーク接続部等と、ＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作手段６及びＬＣＤ、ＣＲＴ等の表示手段５とを備えている。
【００３４】
また、記録装置１に備える主な手段をブロック図で示すと図６のようになり、メディア装填部２や機器接続部３、ネットワーク接続部などを用いて画像データ（静止画像データ、動画データ、画像情報を含むデータを総称して画像データと呼ぶ。）を入力するデータ入力手段１２と、読み取った複数の画像データなどを記録媒体９の複数の領域の各々に記録するデータ記録手段１３と、表示手段５及び操作手段６とで構成される。
【００３５】
なお、図１では記録装置１として写真店やコンビニエンスストアなどの店舗に設置される無人端末（キオスク）を示しているが、記録装置１の形態は任意であり、例えば、図２に示すようにパーソナルコンピュータなどのコンピュータ機器としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしてもよいし、演算処理機能を備えたカーナビゲーション機器などとすることもできる。また、上記各手段は記録装置１にハードウェアとして構成されていてもよいが、少なくとも、コンピュータを、データ記録手段１３として機能させる記録プログラムとして構成し、該記録プログラムを記録装置１にインストールして実行する構成としてもよい。
【００３６】
次に、上記構成の記録装置１（記録プログラム）を用いて、記録媒体９の複数の領域に読み取った画像データを記録する手順について、図７のフローチャート図を参照して説明する。なお、以下では複数の領域を第１の領域及び第２の領域の２つ領域としているが、３つ以上の領域とする場合も同様に適用することができる。
【００３７】
まず、ステップＳ１０１で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。この記録媒体９として汎用的な記録媒体を用いてもよいが、画像データの不正なコピーを未然に防止するために、所定の識別情報が書き込まれている記録媒体を用いることもでき、その場合は、ステップＳ１０２で、記録媒体９の特定の領域から識別情報を読み出す。その際、上記識別情報は適正な記録媒体にデータを記録するために設けるものであるため、識別情報の記録場所や中身が容易に知られてしまうと識別情報自体もコピーされてしまい、適正にデータを記録することができなくなってしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００３８】
ここで、一般的な記録媒体の構造について、図１０を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。
【００３９】
なお、この識別情報の具体的な構成は任意であり、上記以外の案内溝変調（ＡＴＩＰ）であるリードイン開始時間、最大リードアウト開始可能時間等も適宜設定することで識別情報として利用することができ、記録媒体が正規に作成されたものか否かを簡単かつ確実に識別することができる。
【００４０】
次に、所定の識別情報が記録されている場合は、ステップＳ１０３で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ１０４で、データ入力手段１２を用いて、デジタルカメラ７やメディア８、サーバ１１などから複数の画像データを読み取る。その際、表示手段５や操作手段６を用いて記録媒体に書き込みを行う画像データを選択してもよい。
【００４１】
次に、ステップＳ１０５で、データ記録手段１３を用いて、読み取った複数の画像データで構成される第１の画像データ群を記録媒体９の第１の領域（ディスク型記録媒体の場合は内側の領域）に書き込む。
【００４２】
次に、第１の領域に記録した第１の画像データ群を繰り返し第２の領域（ディスク型記録媒体の場合は第１の領域の外側の領域）にも記録するが、その際、記録する画像データの容量が大きい場合には第２の領域に全ての画像データを書き込むことができない場合もある。そこで、ステップＳ１０６で、第２の領域に全ての画像データを記録することができるか否か、すなわち、記録媒体９の記録可能な容量（Ｘ）が第１の画像データ群を記録するための容量（Ａ）の２倍よりも大きいか否かを判断し、Ｘ≧Ａ×２の場合は、ステップＳ１０７で、データ記録手段１３を用いて、第２の領域に第１の領域に記録した第１の画像データ群と同じ画像データで構成される第２の画像データ群を記録する。
【００４３】
また、Ｘ＜Ａ×２の場合は、第２の領域に全ての画像データを記録することができないため、ステップＳ１０８で、データ記録手段１３を用いて、第２の領域に、空き容量（Ｘ−Ａ）分の画像データを記録する。この空き容量分の画像データの選択方法は特に限定されないが、例えば、第１の領域に記録されている画像データの記録順又はその逆順に画像データを選択してもよいし、画像データをファイル名順で並べた場合のファイル名の降順又は昇順に画像データを選択してもよいし、データサイズの小さい順又は大きい順に画像データを選択してもよいし、画像データのヘッダ情報などを参照して撮影日時などの日時情報を抽出し、日時順に画像データを選択してもよい。なお、上記フローでは、Ｘ＜Ａ×２の場合に、第１の領域に全ての画像データを記録し第２の領域に空き容量分の画像データを記録する構成としたが、読み取った画像データの全容量がＸの半分以上の場合は、第１の画像データ群を構成する画像データの容量がＸの半分以下となるように予め画像データを選択してもよく、そのような構成にすれば、常に第１の画像データ群と同じ画像データで構成される第２の画像データ群を記録することができる。
【００４４】
上記方法で第１及び第２の画像データ群が記録された記録媒体９におけるデータの記録領域は図１１のようになり、記録媒体９の最も内側の領域（論理アドレス領域外）には必要に応じて所定の識別情報が記録され、その外側の第１の領域には読み取った全ての画像データで構成される第１の画像データ群が記録され、更にその外側の第２の領域には読み取った画像データの全部又は一部で構成される第２の画像データ群が記録される。
【００４５】
なお、記録媒体９におけるデータの記録構造は任意であり、例えば、ステップＳ１０７で画像データを記録した場合は、図１３（ａ）に示すように、”PS_Roll”フォルダ内に、同一の画像データ（例えば、図ではOR0304160000001.jpg〜OR0304160000300.jpgの３００個の画像データ）で構成される第１の画像データ群及び第２の画像データ群が記録される。また、ステップＳ１０８で画像データを記録した場合は、図１４に示すように、”PS_Roll”フォルダ内に、読み取った画像データ（例えば、図ではOR0304160000001.jpg〜OR0304160000400.jpgの４００個の画像データ）で構成される第１の画像データ群と、読み取った画像データの中から空き容量に応じて選択された画像データ（例えば、図１４（ａ）ではファイル名の昇順に選択したOR0304160000001.jpg〜OR0304160000300.jpgの３００個の画像データ、図１４（ｂ）ではファイル名の降順に選択したOR0304160000400.jpg〜OR0304160000101.jpgの３００個の画像データ）で構成される第２の画像データ群が記録される。
【００４６】
また、図１３（ａ）及び図１４では、第１の画像データ群と第２の画像データ群とで画像データのファイル名を同一にしているため、各々の画像データ群を別々のフォルダに格納しているが、第１の画像データ群の画像データと第２の画像データ群の画像データとは画像情報が同じであればよく、一方の画像データ群を構成する画像データのファイル名を変更して記録してもよく、その場合は第１の画像データ群と第２の画像データ群とを同じフォルダ内に格納することもできる。
【００４７】
また、上記画像データ群の記録に際して、画像データ群をデータ管理装置などにバックアップした場合における管理を容易にするために、予め定められたルールに従ってフォルダを構成し、そのフォルダや画像データにユニークな名称を付与することもできる。例えば、図１３（ａ）及び図１４に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）を作成したり、各々の画像データをCCYYMMDDxxxxxx（CC：画像データの種別、YYMMDD：書き込み年月日を特定する数字、xxxxxx：シーケンシャル番号）などにリネームすることもできる。
【００４８】
この場合において、第１の画像データ群及び第２の画像データ群を共に上記ルールに従って記録してもよいが、いずれか一方の画像データ群を上記ルールに従って記録し、他方の画像データ群を入力されたままのフォルダ名やファイル名で記録することもできる。例えば、メディア８に、デジタルカメラ７で定められたフォルダ名（例えば、100KONICなど）やファイル名（例えば、DSCxxxxx.jpgなど）で画像データ群が記録されている場合に、図１３（ｂ）に示すように、第１の画像データ群は上記ルールに従って記録し、第２の画像データ群はメディア８に記録されたままの構造で記録することもできる。
【００４９】
ここで、上記フローでは、第１の画像データ群と第２の画像データ群とを連続して記録し、第１の領域と第２の領域とが隣接するようにしたが、記録面の一部に傷が付いたり、記録面の一部が汚れたり、記録面の一部が変形、変質するなどによって画像データの読み出しができなくなることを防ぐためには、第１の領域と第２の領域とは離れていた方がいずれかの領域の画像データを読み出せる確率は高くなる。そこで、以下では第１の領域と第２の領域との間に予め定められた他のデータを記録して、第１の領域と第２の領域との間隔を広げる場合について、図８のフローチャート図を参照して説明する。
【００５０】
まず、ステップＳ２０１で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。次に、必要に応じて、ステップＳ２０２で、記録媒体９の特定の領域から識別情報を読み出し、所定の識別情報が記録されている場合は、ステップＳ２０３で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ２０４で、データ入力手段１２を用いて、デジタルカメラ７やメディア８、サーバ１１などから画像データを読み取る。
【００５１】
次に、ステップＳ２０５で、データ記録手段１３を用いて、読み取った複数の画像データで構成される第１の画像データ群を記録媒体９の第１の領域に書き込む。
【００５２】
次に、第２の領域に第２の画像データ群を記録する前に、ステップＳ２０６で、データ記録手段１３を用いて、記録媒体９の第１の領域に連続する領域（ディスク型記録媒体の場合は第１の領域の外側の領域、以下、中間領域と呼ぶ。）に予め定められた他のデータを記録する。この他のデータはどのようなものでもよく、読み取った画像データに関連するもの（例えば、画像データを表示するためのアプリケーションや音楽データなど）でもよいし、読み取った画像データに関連しないものでもよく、また、実体的な意味がないデータ（ダミーデータ）であってもよい。
【００５３】
次に、ステップＳ２０７で、第２の領域に全ての画像データを記録することができるか否か、すなわち、記録媒体９の記録可能な容量（Ｘ）が第１の画像データ群を記録するための容量（Ａ）の２倍に他のデータを記録するための容量（Ｂ）を加えた容量よりも大きいか否かを判断し、Ｘ≧Ａ×２＋Ｂの場合は、ステップＳ２０８で、データ記録手段１３を用いて、第２の領域に第１の領域に記録した第１の画像データ群と同じ第２の画像データ群を記録する。
【００５４】
また、Ｘ＜Ａ×２＋Ｂの場合は、第２の領域に全ての画像データを記録することができないため、ステップＳ２０９で、データ記録手段１３を用いて、第２の領域に、空き容量（Ｘ−Ａ−Ｂ）分の画像データを上記手法に従って選択して記録する。なお、上記フローでは、Ｘ＜Ａ×２＋Ｂの場合に、第１の領域に全ての画像データを記録し第２の領域に空き容量分の画像データを記録する構成としたが、読み取った画像データの全容量がＸ−Ｂの半分以上の場合は、第１の画像データ群を構成する画像データの容量がＸ−Ｂの半分以下となるように予め画像データを選択してもよく、そのような構成にすれば、常に第１の画像データ群と同じ画像データで構成される第２の画像データ群を記録することができる。
【００５５】
このようにして画像データ群が記録された記録媒体９におけるデータの記録領域は図１２（ａ）のようになり、記録媒体９の最も内側の領域（論理アドレス領域外）には必要に応じて所定の識別情報が記録され、その外側の第１の領域には読み取った複数の画像データで構成される第１の画像データ群が記録され、その外側の中間領域には予め定められた他のデータが記録され、更にその外側の第２の領域には読み取った複数の画像データの全部又は一部で構成される第２の画像データ群が記録される。また、記録媒体９におけるデータの記録構造は、例えば、図１５に示すようになり、”PS_Roll”フォルダ内に、読み取った複数の画像データで構成される第１の画像データ群及びその全部又は一部の画像データで構成される第２の画像データ群が記録され（第２の画像データ群のファイル名を変更した場合は同じフォルダ内に格納してもよい。）、更に、APPLフォルダ内に格納されるスライドショープログラム及びその設定データとスライドショープログラムを起動させるためのプログラムなどで構成される他のデータが記録される。
【００５６】
上記フローを用いて第１の領域と第２の領域との間に中間領域を設けることはできるが、中間領域に記録する他のデータの容量が小さいと第１の領域と第２の領域との距離を十分に離すことができず、また、他のデータの容量が大きいと第２の領域に記録できる画像データが少なくなり、同じ画像データを複数の領域に記録するという本来の目的を十分に達成することができなくなってしまう。そこで、画像データの生存確率を最大限に高め、かつ、第２の領域にできるだけ多くの画像データを記録することができるように、他のデータを記録する画像データの容量に応じて変えることもできる。その場合の手順について、図９のフローチャート図を参照して説明する。
【００５７】
まず、ステップＳ３０１で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填し、必要に応じて、ステップＳ３０２で、記録媒体９の特定の領域から識別情報を読み出し、所定の識別情報が記録されている場合は、ステップＳ３０３で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ４０４で、データ入力手段１２を用いて、デジタルカメラ７やメディア８、サーバ１１などから画像データを読み取る。
【００５８】
次に、ステップＳ３０５で、データ記録手段１３を用いて、読み取った複数の画像データで構成される第１の画像データ群を記録媒体９の第１の領域に書き込む。
【００５９】
次に、ステップＳ３０６で、他のデータを記録する余裕があるか、具体的には、記録媒体の記録容量をＸが第１の画像データ群の容量Ａの２倍よりも大きいか否かを判断し、Ｘ≧Ａ×２の場合は、ステップＳ３０７で、データ記録手段１３を用いて、Ｘ−Ａ×２に相当する容量の他のデータを記録媒体９の第１の領域に連続する中間領域に書き込む。この他のデータも、読み取った画像データに関連するもの（例えば、画像データを表示するためのアプリケーションや音楽データなど）でもよいし、読み取った画像データに関連しないものでもよいし、ダミーデータであってもよく、例えば、所定のアプリケーションにダミーデータを付加して容量をＸ−Ａ×２に調整したものを他のデータとすることができる。続いてステップＳ３０８で、データ記録手段１３を用いて、第２の領域に第１の領域に記録した第１の画像データ群と同じ画像データで構成される第２の画像データ群を記録する。
【００６０】
また、Ｘ＜Ａ×２の場合は、他のデータを記録するとその分、第２の領域に記録できる画像データが少なくなるため、他のデータは記録せずに、ステップＳ３０９で、データ記録手段１３を用いて、空き容量（Ｘ−Ａ）分の画像データを上記手法に従って選択して第２の領域に記録する
【００６１】
上記Ｓ３０７で他のデータが記録された記録媒体９におけるデータの記録領域は図１２（ｂ）のようになり、記録媒体９の最も内側の領域（論理アドレス領域外）には必要に応じて所定の識別情報が記録され、その外側の第１の領域には読み取った画像データで構成される第１の画像データ群が記録され、その外側の中間領域には第１の領域と第２の領域との間隔を最も広げることができる容量の他のデータが記録され、更にその外側の第２の領域には第１の画像データ群と同じ画像データで構成される第２の画像データ群が記録される。
【００６２】
このように、本実施例の記録装置１では、記録媒体９の第１の領域には読み取った複数の画像データで構成される第１の画像データ群が記録され、必要に応じて他のデータが記録された中間領域を挟んで、第２の領域には該複数の画像データの全部又は一部で構成される第２の画像データ群が記録され、一方の領域の画像データが何らかの理由で読み出せなくなったとしても他方の領域から画像データを読み出すことができるため、画像データを安全かつ確実に記録媒体９に保存、管理することができる。
【実施例２】
【００６３】
次に、本発明の第２の実施例に係る記録装置及び記録プログラム並びに記録媒体について、図１６乃至図１９を参照して説明する。図１６は、記録装置の機能を示すブロック図であり、図１７は、本実施例の記録装置を用いたデータの記録手順を示すフローチャート図である。また、図１８は、記録媒体におけるデータ記録領域を示す図であり、図１９は、記録媒体のフォルダ構造の一例を示す図である。
【００６４】
前記した第１の実施例では、データ入力手段１２で読み取った画像データをそのまま記録媒体９に記録したが、読み取った画像データに基づいて生成されたデータ（特定データと呼ぶ。）を記録する場合も、特定データを複数の領域に記録することによって、記録媒体９の記録面の一部に傷が付いたり、記録面の一部が汚れたり、記録面の一部が変形、変質した場合でも該データを読み出すことができる。以下、その場合の構成及び記録手順について説明する。
【００６５】
本実施例の記録装置１に備える主な手段をブロック図で示すと図１６のようになり、メディア装填部２や機器接続部３、ネットワーク接続部などを用いて複数の画像データを入力するデータ入力手段１２と、読み取った複数の画像データに基づいて１又は複数の特定データを生成するデータ生成手段１４と、生成した１又は複数の特定データなどを記録媒体９の複数の領域の各々に記録するデータ記録手段１３と、表示手段５及び操作手段６とで構成される。また、データ生成手段１４には、画像データのデータサイズを縮小したサムネイル画像データやスクリーンネイル画像データなどの縮小画像データを生成する縮小画像データ生成手段１４ａと、画像データの圧縮度を高めた高圧縮データを生成する高圧縮データ生成手段１４ｂと、読み取った画像データに基づいてＤＶＤプレーヤやＤＶＤレコーダ、ＨＤＤレコーダ、ゲーム機等の画像再生機器で読み取り可能なＶｉｄｅｏ−ＣＤ形式、ＤＶＤ−Ｖｉｄｅｏ形式、ＨＤＴＶ形式などのデータを生成する画像再生機器用データ生成手段１４ｃとを備えている。
【００６６】
なお、本実施例においても、上記各手段は記録装置１にハードウェアとして構成されていてもよいが、少なくとも、コンピュータを、データ生成手段１４、データ記録手段１３として機能させる記録プログラムとして構成し、該記録プログラムを記録装置１にインストールして実行する構成としてもよい。
【００６７】
次に、上記構成の記録装置１（記録プログラム）を用いて記録媒体９の複数の領域に生成した１又は複数の特定データを記録する手順について、図１７のフローチャート図を参照して説明する。なお、本実施例においても、複数の領域を第１の領域及び第２の領域の２つ領域としているが、３つ以上の領域とする場合も同様に適用することができる。
【００６８】
まず、ステップＳ４０１で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。次に、必要に応じて、ステップＳ４０２で、記録媒体９の特定の領域から識別情報を読み出し、所定の識別情報が記録されている場合は、ステップＳ４０３で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ４０４で、データ入力手段１２を用いて、デジタルカメラ７やメディア８、サーバ１１などから画像データを読み取る。
【００６９】
次に、ステップＳ４０５で、必要に応じて、縮小画像データ生成手段１４ａを用いて、読み取った画像データのデータサイズを縮小したサムネイル画像データやスクリーンネイル画像データ、読み取った画像データの圧縮度を高めた高圧縮データなどの縮小画像データを作成する。この縮小画像データは入力した画像データよりもデータサイズが小さい又は圧縮度が高いものであればよく、例えば、画素数を減縮した画像データや色数、色再現域を減縮した画像データなどとすることができる。
【００７０】
次に、ステップＳ４０６で、必要に応じて、高圧縮データ生成手段１４ｂを用いて、読み取った画像データの圧縮度を高めた高圧縮データを作成する。この高圧縮データは入力した画像データよりも圧縮度が高いものであればよく、その圧縮度は特に限定されない。
【００７１】
次に、ステップＳ４０７で、必要に応じて、画像再生機器用データ生成手段１４ｃを用いて、読み取った画像データに基づいて動画データを生成した後、該動画データをＤＶＤプレーヤやＤＶＤレコーダ、ＨＤＤレコーダ、ゲーム機等の画像再生機器３０で再生可能なデータ（Ｖｉｄｅｏ−ＣＤ形式、ＤＶＤ−Ｖｉｄｅｏ形式、ＨＤＴＶ形式などのデータ）に変換する。上記画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。なお、本実施例では、縮小画像データと画像再生機器用データの双方を生成しているが、読み取った画像データに基づいたデータが生成されていればよく、縮小画像データ又は画像再生機器用データの一方のみを生成してもよいし、他の種類のデータを生成してもよい。
【００７２】
次に、ステップＳ４０８で、データ記録手段１３を用いて、生成した１又は複数の特定データで構成される第１の特定データ群を記録媒体９の第１の領域（ディスク型記録媒体の場合は内側の領域）に書き込む。
【００７３】
次に、ステップＳ４０９で、第２の領域に全ての特定データを記録することができるか否か、すなわち、記録媒体９の記録可能な容量（Ｘ）が第１の特定データ群を記録するための容量（Ａ’）の２倍よりも大きいか否かを判断し、Ｘ≧Ａ’×２の場合は、ステップＳ４１０で、データ記録手段１３を用いて、第２の領域（ディスク型記録媒体の場合は第１の領域の外側の領域）に第１の領域に記録した第１の特定データ群と同じ特定データで構成される第２の特定データ群を記録する。この場合において、記録する特定データが縮小画像データや高圧縮データなどのコンピュータ機器で再生可能なデータの場合は、順次特定データを書き込んでもコンピュータ機器で読み出すことができるが、特定データが画像再生機器用データの場合は、第１の領域に一旦第１の特定データ群を記録した後、セッションをクローズすると第２の領域に第２の特定データ群を記録してもこのデータは画像再生機器で読み出すことができない。そこで、この場合には第１の領域に一旦第１の特定データ群を記録した後、セッションをクローズせずに、すなわちトラックアトワンス方式で第２の領域に第２の特定データ群を記録する。
【００７４】
また、Ｘ＜Ａ’×２の場合は、第２の領域に全ての特定データを記録することができないため、ステップＳ４１１で、データ記録手段１３を用いて、第２の領域に、空き容量（Ｘ−Ａ’）分の特定データを記録する。この空き容量分の特定データの選択方法も特に限定されず、特定データが縮小画像データの場合は、第１の実施例と同様に、第１の領域に記録されている特定データの記録順又はその逆順、特定データをファイル名順で並べた場合のファイル名の降順又は昇順、特定データのデータサイズの小さい順又は大きい順、特定データのヘッダ情報などから得られる作成日時などの日時情報に基づく日時順などによって特定データを選択することができる。また、特定データが画像再生機器用データの場合は、ステップＳ４０７で生成した特定データの一部を選択しても画像再生機器で再生することができないため、生成された特定データが所望の容量となるように元となる画像データを選択した後、その選択した画像データに基づいて新たな特定データを生成し、その生成した特定データを第２の領域に記録する。
【００７５】
このようにして特定データ群が記録された記録媒体９におけるデータの記録領域は図１８（ａ）のようになり、記録媒体９の最も内側の領域（論理アドレス領域外）には必要に応じて所定の識別情報が記録され、その外側の第１の領域には読み取った複数の画像データに基づいて生成された１又は複数の特定データで構成される第１の特定データ群が記録され、更にその外側の第２の領域には１又は複数の特定データの全部又は一部又は新たに生成した特定データで構成される第２の特定データ群が記録される。
【００７６】
本実施例においても記録媒体９におけるデータの記録構造は任意であり、例えば、生成された特定データが縮小画像データの場合は図１９（ａ）示すようになり、”PS_Roll”フォルダ内に、同一の特定データ（例えば、図ではSC0304160000001.jpg〜SC0304160000300.jpgの３００個のスクリーンネイル画像データ）で構成される第１の特定データ群及び第２の特定データ群が記録される（第２の特定データ群のファイル名を変更した場合は同じフォルダ内に格納してもよい。）。また、生成された特定データが画像再生機器用データの場合は図１９（ｂ）示すようになり、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどの組からなる画像再生機器用データ群が２組、トラックアトワンス方式で記録される。
【００７７】
なお、図１９の構成は例示であり、複数種類の特定データの中から選択された任意の１又は複数種類の特定データが複数の領域の各々に記録されていればよく、また、生成された特定データに加えて、読み取った画像データを複数の領域に記録してもよい。また、本実施例においても、上記特定データ群の記録に際して、特定データ群をデータ管理装置などにバックアップした場合における管理を容易にするために、予め定められたルールに従ってメディア８毎、機器毎、フィルム毎の特定データの格納場所を示すフォルダ（ROYYMMDDyyy_XXXXXXAABxxx）を作成したり、縮小画像データや高圧縮データをCCYYMMDDxxxxxxなどにリネームしてもよい。
【００７８】
また、本実施例においても、記録面の一部に傷が付いたり、記録面の一部が汚れたり、記録面の一部が変形、変質するなどによって特定データの読み出しができなくなることを防ぐために、第１の領域と第２の領域との間に予め定められた他のデータを記録して、第１の領域と第２の領域との間隔を広げることもできる。その場合は、ステップＳ４０８で第１の領域に第１の特定データ群を記録した後、第２の領域に第２の特定データ群を記録する前に、第１の領域に連続する中間領域（ディスク型記録媒体の場合は第１の領域の外側の領域）に、読み取った画像データや画像データを表示するためのアプリケーション、音楽データ、ダミーデータなどの他のデータを記録すればよい。
【００７９】
更に、特定データの生存確率を最大限に高め、かつ、第２の領域にできるだけ多くの特定データを記録することができるように、上記他のデータを、記録する特定データの容量に応じて変えることもできる。その場合は、ステップＳ４０９で他のデータを記録する余裕があるか、具体的には、記録媒体９の記録容量をＸが第１の特定データ群を記録するための容量Ａ’の２倍よりも大きいか否かを判断し、Ｘ≧Ａ’×２の場合は、データ記録手段１３を用いて、Ｘ−Ａ’×２に相当する容量の他のデータを中間領域に記録すればよい。
【００８０】
このように、本実施例の記録装置１では、記録媒体９の第１の領域には読み取った複数の画像データに基づいて生成された１又は複数の特定データで構成される第１の特定データ群が記録され、必要に応じて他のデータが記録された中間領域を挟んで、第２の領域には１又は複数の特定データの全部又は一部又は新たに生成された特定データで構成される第２の特定データ群が記録されるため、一方の領域の特定データが何らかの理由で読み出せなくなったとしても他方の領域から特定データを読み出すことができるため、データを安全かつ確実に記録媒体９に保存、管理することができる。
【００８１】
なお、第１の実施例では読み取った画像データを、第２の実施例では生成された特定データを複数の領域の各々に記録する構成としたが、本発明は上記実施例に限定されるものではなく、例えば、第１の領域に読み取った画像データを記録し、第２の領域に該画像データの圧縮度を高めた高圧縮データを記録する等、実質的に同等のデータを複数の領域の各々に記録する構成とすることもできる。また、上記各実施例では、画像データを記録する場合について記載したが、音楽データなどの他の種類のデータを記録する場合についても同様に適用することができる。
【図面の簡単な説明】
【００８２】
【図１】本発明の第１の実施例に係る記録装置の外観構成を示す図である。
【図２】本発明の第１の実施例に係る記録装置の他の外観構成を示す図である。
【図３】本発明の第１の実施例に係る記録装置の他の外観構成を示す図である。
【図４】本発明の第１の実施例に係る記録装置の他の外観構成を示す図である。
【図５】本発明の第１の実施例に係る記録装置の他の外観構成を示す図である。
【図６】本発明の第１の実施例に係る記録装置の構成を示すブロック図である。
【図７】本発明の第１の実施例に係る記録装置を用いた画像データの記録手順を示すフローチャート図である。
【図８】本発明の第１の実施例に係る記録装置を用いた画像データの他の記録手順を示すフローチャート図である。
【図９】本発明の第１の実施例に係る記録装置を用いた画像データの他の記録手順を示すフローチャート図である。
【図１０】記録媒体の構造を模式的に示す図である。
【図１１】本発明の第１の実施例の記録媒体におけるデータの記録領域を示す図である。
【図１２】本発明の第１の実施例の記録媒体におけるデータの記録領域のバリエーションを示す図である。
【図１３】本発明の第１の実施例の記録媒体におけるデータの記録構造を示す図である。
【図１４】本発明の第１の実施例の記録媒体におけるデータの記録構造のバリエーションを示す図である。
【図１５】本発明の第１の実施例の記録媒体におけるデータの記録構造のバリエーションを示す図である。
【図１６】本発明の第２の実施例に係る記録装置の構成を示すブロック図である。
【図１７】本発明の第２の実施例に係る記録装置を用いた特定データの記録手順を示すフローチャート図である。
【図１８】本発明の第２の実施例の記録媒体におけるデータの記録領域を示す図である。
【図１９】本発明の第２の実施例の記録媒体におけるデータの記録構造を示す図である。
【符号の説明】
【００８３】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  データ入力手段
１３  データ記録手段
１４  データ生成手段
１４ａ  縮小画像データ生成手段
１４ｂ  高圧縮データ生成手段
１４ｃ  画像再生機器用データ生成手段
１００  ポリカーボネート基板
１０１  有機色素層
１０２  反射層
１０３  保護層
【図１】
2006033190.tif 000003
【図２】
2006033190.tif 000004
【図３】
2006033190.tif 000005
【図４】
2006033190.tif 000006
【図５】
2006033190.tif 000007
【図６】
2006033190.tif 000008
【図７】
2006033190.tif 000009
【図８】
2006033190.tif 000010
【図９】
2006033190.tif 000011
【図１０】
2006033190.tif 000012
【図１１】
2006033190.tif 000013
【図１２】
2006033190.tif 000014
【図１３】
2006033190.tif 000015
【図１４】
2006033190.tif 000016
【図１５】
2006033190.tif 000017
【図１６】
2006033190.tif 000018
【図１７】
2006033190.tif 000019
【図１８】
2006033190.tif 000020
【図１９】
2006033190.tif 000021